(57)【要約】【課題】動作時の騒音を抑えることができる電気掃除機を提供する。【解決手段】鉛直方向に配置した電動機１０２を有する電動送風機１００と、上部に設けられ外気を吸引するための吸引口１１２と、側面に設けられ排気を排出するための第１の排気口１１４と、を有する吸引室１１０と、吸引室の上部と電動送風機との間に配置された第１の防振材１２２と、吸引室の下部と電動送風機との間に配置された第２の防振材１２４と、電動機の側面の周囲に配置される吸音材１２６と、吸引室の第１の排気口の方向とは異なる方向に設けられ、第１の排気口からの排気を外部に排出する第２の排気口１１６と、第１の排気口と第２の排気口とを結び、吸引室の下を通るように構成された排気通路１３０と、排気通路の内面に配置され、排気が排気通路に流れることによって発生する振動及び音を抑える制振材１３２と、を有する電気掃除機。【選択図】図１
2014158584.tif 000002
【特許請求の範囲】
【請求項１】
回転軸が略鉛直方向になるように配置した電動機を有する電動送風機と、
前記電動送風機が配置され、前記電動送風機の上部に設けられ外気を吸引するための吸引口と、前記電動送風機の側面に設けられ排気を排出するための第１の排気口と、を有する吸引室と、
前記吸引室の上部と前記電動送風機との間に配置され、前記電動送風機の振動を抑える第１の防振材と、
前記吸引室の下部と前記電動送風機との間に配置され、前記電動送風機の振動を抑える第２の防振材と、
前記電動機の側面の周囲に配置される吸音材と、
前記第１の排気口の方向とは異なる方向に設けられ、前記第１の排気口からの排気を外部に排出する第２の排気口と、
前記第１の排気口と前記第２の排気口とを結び、前記吸引室の下を通るように構成された排気通路と、
前記排気通路の内面に配置され、前記電動送風機の排気が前記排気通路に流れることによって発生する振動及び音を抑える制振材と、
を有することを特徴とする電気掃除機。
【請求項２】
前記第２の排気口は、前記吸引室の側面方向において前記第１の排気口の位置から略１８０度の位置に設けられていることを特徴とする請求項１に記載の電気掃除機。
【請求項３】
前記排気通路は、前記第１の排気口からの排気が直接当たる壁面の厚みを前記第１の排気口からの排気が直接当たらない壁面の厚みよりも厚くすることを特徴とする請求項１または２に記載の電気掃除機。
【発明の詳細な説明】
【技術分野】
【０００１】
本発明は、静音化構造の電気掃除機に関する。
【背景技術】
【０００２】
電気掃除機は、電動送風機を構成するモーターの回転音及び振動音や、電動送風機の排気が排気通路を通るときに発生する風切り音及び振動などにより、駆動中に騒音を発生する。この問題を解決するために、例えば特許文献１に示すように、電動送風機の左右を吸音部材で固定し、排気通路にも吸音部材を配置することにより、騒音を抑える方法が示されている。
【先行技術文献】
【特許文献】
【０００３】
【特許文献１】特許第３２９１６７１号明細書（図１）
【発明の概要】
【発明が解決しようとする課題】
【０００４】
しかしながら、従来の方法では、電動送風機の回転軸が水平方向にあるため、回転に伴う垂直方向の振動が発生し、さらに、電動送風機から外部への排気通路が短いため、排気通路に吸音部材を配置しても効果が少なく、十分に騒音を抑えることができないという問題がある。
【０００５】
本発明は、上述した従来技術の問題点を解決するためになされたものであり、その目的は、電動送風機の回転軸が鉛直方向になるように電動送風機を配置することにより、電動送風機の振動を抑えることができ、電動送風機の排気口に対して略１８０度反対の方向に電気掃除機から外部への排気口を設けることにより、排気通路をより長く設けることができ、排気通路に配置した制振材の効果を高めることができるので、駆動時の騒音を抑えることができる電気掃除機を提供することである。
【課題を解決するための手段】
【０００６】
本発明のある態様による電気掃除機は、回転軸が略鉛直方向になるように配置した電動機を有する電動送風機と、前記電動送風機が配置され、前記電動送風機の上部に設けられ外気を吸引するための吸引口と、前記電動送風機の側面に設けられ排気を排出するための第１の排気口と、を有する吸引室と、前記吸引室の上部と前記電動送風機との間に配置され、前記電動送風機の振動を抑える第１の防振材と、前記吸引室の下部と前記電動送風機との間に配置され、前記電動送風機の振動を抑える第２の防振材と、前記電動機の側面の周囲に配置される吸音材と、前記第１の排気口の方向とは異なる方向に設けられ、前記第１の排気口からの排気を外部に排出する第２の排気口と、前記第１の排気口と前記第２の排気口とを結び、前記吸引室の下を通るように構成された排気通路と、前記排気通路の内面に配置され、前記電動送風機の排気が前記排気通路に流れることによって発生する振動及び音を抑える制振材と、を有することを特徴とする。
【０００７】
この構成によれば、電動送風機の回転軸が鉛直方向になるように電動送風機を配置し、電気送風機の上下を防振材で固定することにより、電動送風機自身の自重により電動送風機の振動を抑えることができ、電動送風機の第１の排気口に対して異なる方向に電気掃除機から外部への第２の排気口を設けることにより、排気通路をより長く設けることができ、排気通路に配置した制振材の効果を高めることができるので、駆動時の騒音を抑えることができる。
【０００８】
上記電気掃除機において、前記第２の排気口は、前記吸引室の側面方向において前記第１の排気口の位置から略１８０度の位置に設けるようにしてもよい。
【０００９】
こうすれば、電動送風機の回転軸が鉛直方向になるように電動送風機を配置し、電気送風機の上下を防振材で固定することにより、電動送風機自身の自重により電動送風機の振動を抑えることができ、電動送風機の第１の排気口に対して略１８０度の位置に電気掃除機から外部への第２の排気口を設けることにより、排気通路をより長く設けることができ、排気通路に配置した制振材の効果を高めることができるので、駆動時の騒音を抑えることができる。
【００１０】
上記電気掃除機において、前記排気通路は、前記第１の排気口からの排気が直接当たる壁面の厚みを前記第１の排気口からの排気が直接当たらない壁面の厚みよりも厚くするようにしてもよい。
【００１１】
こうすれば、電動送風機の第１の排気口からの排気が直接当たる壁面の厚みを他の壁面の厚みよりも厚くすることにより、排気通路の強度を増すことで駆動時の騒音を抑えることができる。
【発明の効果】
【００１２】
本発明によれば、電動送風機の回転軸が鉛直方向になるように電動送風機を配置し、電気送風機の上下を防振材で固定することにより、電動送風機自身の自重により電動送風機の振動を抑えることができ、電動送風機の第１の排気口に対して略１８０度の位置に電気掃除機から外部への第２の排気口を設けることにより、排気通路をより長く設けることができ、排気通路に配置した制振材の効果を高めることができるので、駆動時の騒音を抑えることができる。
【図面の簡単な説明】
【００１３】
【図１】本発明の第１の実施形態に係る電気掃除機の構成を示す側面断面図である。
【図２】本発明の第１の実施形態に係る電気掃除機の構成を示す上面断面図である。
【発明を実施するための形態】
【００１４】
以下、電気掃除機の実施形態について図面に従って説明する。以下に参照する各図において、他の図と同等部分は同一符号を付して説明する。
（第１の実施形態）
先ず、第１の実施形態に係る電気掃除機の構成について、図１を参照して説明する。図１は、第１の実施形態に係る電気掃除機の構成を示す側面断面図である。図１に示すように、電気掃除機１は、吸引室１１０と集塵室２００と吸引パイプ２１０と排気パイプ２２０とから構成されている。電気掃除機１は、吸引室１１０の吸引力により排気パイプ２２０を介して吸引パイプ２１０から塵を含んだ外気を吸い込み、集塵室２００で外気から塵を分離する。排気パイプ２２０は、吸引室１１０の後述する吸引口１１２に取り付けられている。集塵室２００は、フィルタで構成しても良いし、サイクロン方式で構成しても良い。
【００１５】
吸引室１１０は、電動機であるモーター１０２とファン１０４とを有する電動送風機１００を有し、モーター１０２の回転軸が鉛直方向になるように電動送風機１００が配置されている。電動送風機１００は、電動送風機１００の上部から外気を吸引し、電動送風機１００の側面から排気を排出する。吸引室１１０は、電動送風機１００の上部に設けられ、排気パイプ２２０からの外気を吸引するための吸引口１１２と、電動送風機１００の側面に設けられ、排気を排出するための第１の排気口１１４と、を有する。吸引室１１０は、壁面がプラスチックなどの素材で形成されている。
【００１６】
電動送風機１００は、吸引室１１０の上部の壁面１１０ａと電動送風機１００の上部との間に電動送風機１００が発生する振動を抑えるための第１の防振材１２２が配置されている。また、電動送風機１００は、吸引室１１０の下部の壁面１１０ｂと電動送風機１００の下部との間に電動送風機１００が発生する振動を抑えるための第２の防振材１２４が配置されている。第１の防振材１２２及び第２の防振材１２４は、ゴムなどの防振性のある素材で形成されている。電動送風機１００は、回転軸が鉛直方向になるように配置され、第１の防振材１２２及び第２の防振材１２４で上下を固定しているので、電動送風機１００自身の自重により安定し、電動送風機１００が発生する振動を抑えることができる。さらに、第１の防振材１２２は、電動送風機１００の横揺れを防止する役割も果たす。
さらに、電動送風機１００は、モーター１０２の側面の周囲に吸音材１２６が巻かれている。吸音材１２６は、スポンジなどの吸音性のある素材で形成されている。吸音材１２６は、電動送風機１００の側面から排出される排気の音を吸音する役割を成す。
【００１７】
電気掃除機１は、第１の排気口１１４からの排気を外部に排出するための第２の排気口１１６が、第１の排気口１１４に対して略１８０度の位置に設けられている。第１の排気口１１４と第２の排気口１１６とは、吸引室１１０の下部にある壁面１１０ｂの下を通るように構成された排気通路１３０によって結ばれている。
【００１８】
排気通路１３０は、吸引室１１０の側面の壁面１１０ｄと連続する壁面１１０ｃによって形成される。なお、壁面１１０ｃにおいて、第１の排気口１１４からの排気が直接当たる壁面は、壁面１１０ｃの肉厚よりも厚い壁面１１８で構成されている。排気通路１３０の内面には、電動送風機１００からの排気が排気通路１３０に流れることによって発生する振動及び音を抑えるための制振材１３２が配置されている。制振材１３２は、ゴムなどの制振性のある素材で形成されている。電動送風機１００からの排気は、第１の排気口１１４から図１の点線矢印の方向に流れ、排気通路１３０を通り、第２の排気口１１６から外部に排出される。
【００１９】
次に、第１の実施形態に係る電気掃除機の構成について、図２を参照して説明する。図２は、第１の実施形態に係る電気掃除機の構成を示す上面断面図である。図２は、図１の一点鎖線Ａの方向に吸引室１１０を輪切りにし、上面から見た状態を示す。図１で説明したように、吸音材１２６は、モーター１０２の側面の周囲を取り巻くように配置されている。図２の点線矢印に示すように、排気は、電動送風機１００を構成するモーター１０２の周囲から吸音材１２６を通過して吸引室１１０内に排出され、第１の排気口１１４から壁面１１８に当たり、排気通路１３０を通り、第２の排気口１１６から外部に排出される。
【００２０】
以上に述べた第１の実施形態によれば、以下の効果が得られる。
第１の実施形態では、モーター１０２の回転軸が鉛直方向になるように電動送風機１００を配置し、電気送風機１００の上下を第１の防振材１２２及び第２の防振材１２４で固定することにより、電動送風機１００自身の自重により電動送風機１００の振動を抑えることができ、電動送風機１００の第１の排気口１１４に対して略１８０度の位置に電気掃除機１から外部への第２の排気口１１６を設けることにより、排気通路１３０をより長く設けることができ、排気通路１３０の内側の壁面に配置した制振材１３２の効果を高めることができるので、駆動時の騒音を抑えることができる。さらに、電動送風機１００の第１の排気口１１４からの排気が直接当たる壁面１１８の厚みを他の壁面の厚みよりも厚くすることにより、排気通路１３０の強度を増すことで駆動時の騒音を抑えることができる。
【００２１】
（変形例１）
第１の実施形態では、電動送風機１００における第１の排気口１１４の高さと第２の排気口１１６の高さとが、略同じくらいで説明したが、第２の排気口１１６の高さを第１の排気口１１４の高さよりもさらに上になるようにしてもよい。このようにすれば、排気通路１３０をより長く設けることができるので、制振材１３２の面積も広くなり、制振材１３２による振動及び音を抑える効果を高めることができる。
【００２２】
（変形例２）
第１の実施形態では、吸音材１２６を電動送風機１００のモーター１０２の側面に配置するように図示したが、吸音材１２６を電動送風機１００のモーター１０２の側面から隙間を持って配置しても良い。こうすれば、モーター１０２の熱により吸音材１２６が溶けることが無くなる。または、モーター１０２の側面に熱伝導性のある放熱部材を配置し、放熱部材の外側に吸音材１２６を配置するようにしても良い。
【００２３】
（変形例３）
第１の実施形態では、吸引室１１０内にモーター１０２の回転軸が鉛直方向になるように電動送風機１００を配置するように説明したが、必ずしも鉛直方向でなくても構わない。例えば、モーター１０２の回転軸が鉛直方向から±１０度以内で傾けて電動送風機１００を配置するようにしても良い。
【００２４】
（変形例４）
第１の実施形態では、壁面１１０ｃにおいて、第１の排気口１１４からの排気が直接当たる壁面は、壁面１１０ｃの肉厚よりも厚い壁面１１８で構成するように説明したが、壁面１１８の厚さを他の壁面の厚さと同じにし、壁面１１８の表面に配置された制振材１３２の表面にスポンジなどを配置するようにしても良い。
【００２５】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００２６】
本発明は、静音化構造の電気掃除機に利用することができる。
【符号の説明】
【００２７】
１００  電動送風機
１０２  モーター
１０４  ファン
１１０  吸引室
１１２  吸引口
１１４  第１の排気口
１１６  第２の排気口
１１８  壁面
１２２  第１の防振材
１２４  第２の防振材
１２６  吸音材
１３０  排気通路
１３２  制振材
２００  集塵室
２１０  吸引パイプ
２２０  排気パイプ
【図１】
2014158584.tif 000003
【図２】
2014158584.tif 000004